(57)【特許請求の範囲】
【請求項１】
基体と、該基体に組み立てられる支持ブロックと、連結ブロックと、拡充ブロックとからなる電子機器ホルダーであって、
前記基体が、Ｌ字型可撓性ブロックであると共に、滑り止めの材質からなり、長手方向において、内側に、摺動溝が設けられ、該摺動溝の近傍に、さらに、前記摺動溝に交叉する他の摺動溝が形成され、
前記支持ブロックが、可撓性ブロックであると共に、滑り止めの材質からなり、その一側に、レールが設けられ、隣り合う一側に、摺動溝が形成され、該摺動溝に対応する一側において、底部に、レールが設けられ、
前記連結ブロックが、可撓性ブロックであると共に、滑り止めの材質からなり、一側に、レールが設けられ、その隣り合う一側に、摺動溝が形成され、また、摺動溝に対応して、一側にレールが伸び、
前記拡充ブロックが、可撓性ブロックであると共に、滑り止めの材質からなり、隣り合う両側に、レールが設けられ、
基体支持ブロック、連結ブロック及び拡充ブロックを組み立てることにより、支持ブロックと連結ブロック及び拡充ブロックのレールが、基体の摺動溝を任意に摺動することにより、基体と支持ブロック、連結ブロックと拡充ブロックのギャップが調整され、対象物品を挟持する傾斜角度を制御することができ、また、基体の摺動溝と支持ブロック、連結ブロックと拡充ブロックのレールとが結合することにより、多種類の組立てが変化し、各種規格の電子機器に応じて適用することができ、また、支持ブロックを直立させて支持ブロックのレールを、基体の摺動溝に係合することにより、連結ブロックの摺動溝も、同様に、支持ブロックと拡充ブロックのレールに、摺動可能に連結される、
ことを特徴とする形態可変型電子機器ホルダー。
【請求項２】
前記基体が、それぞれ、支持ブロック、連結ブロック及び拡充ブロックに連接されて使用することができることを特徴とする請求項１に記載の形態可変型電子機器ホルダー。
【請求項３】
前記連結ブロックが、一つ以上であることを特徴とする請求項１に記載の形態可変型電子機器ホルダー。
【請求項４】
前記支持ブロック、連結ブロック及び拡充ブロックのレールが、基体の摺動溝との間に、間隙が形成されることを特徴とする請求項１に記載の形態可変型電子機器ホルダー。
【請求項５】
前記支持ブロックと連結ブロック及拡充ブロックのレールに、間隙が形成されることを特徴とする請求項１に記載の形態可変型電子機器ホルダー。
【請求項６】
前記基体の摺動溝の隣り合う面に、突出部及びリブが設けられることを特徴とする請求項１に記載の形態可変型電子機器ホルダー。
【請求項７】
前記基体、支持ブロック及び連結ブロックの摺動溝が、奥広外狭又は内狭外広に形成され、支持ブロック、連結ブロック及び拡充ブロックが、それに対応して、内狭外広又は奥広外狭に形成されることを特徴とする請求項１に記載の形態可変型電子機器ホルダー。
【発明の詳細な説明】
【技術分野】
【０００１】
本発明は、形態可変型電子機器ホルダー等の電子機器ホルダーに関するものであり、さらに詳しくは、摺動溝とレールの組み合せにより、基体が、支持ブロック及び連結ブロック又は拡充ブロックと変化可能に結合され、基体の角度及び高さを調整でき、各種電子製品等をセットして使用することが可能な電子機器ホルダーに関するものである。
【背景技術】
【０００２】
科学技術の進歩に伴ない、各種の電子製品、例えば、携帯電話やタブレットパソコン、ＭＰ３〜５、ｉＰａｄ、デジタルフォトフレーム或いは電子スクリーン等が市販されるに至っている。また、ユーザーが、日常、各種の電子製品を用いて、ＹＯＵＴＵＢＥやＴＶ、映画或いは電子ブックを閲覧することができるが、それらの電子製品は、それぞれをセットするための特定の支持台がないため、ユーザーが、電子製品をほとんど、手持ちによるか、又は一時的なものを利用してそれを支持しなければならないので、非常に不便であるだけでなく、臨時的なものを利用して支持するから、安定的に支持することができない。そのため、支持された電子製品が、不意に滑り落ちることがあり、電子製品の損傷を来たす恐れがある。
【０００３】
また、一部の製品には、支持台の設計があるものもあるが、その設計は、単一の特定電子製品のためのものである。例えば、ｉＰｈｏｎｅやＨＴＣには、専用支持台が付いているが、それを他の電子製品に適用することができない。そして、現在、電子製品は、新規のものが、素早く登場してくるため、消費者の製品を交換するスピードも、それとともに、速くなり、さらに、製造メーカーによって、登場した製品の外形や厚さが異なるため、一旦、消費者が、他の製品に交換すると、その支持台が、適用できなくなり、廃棄しなければならなく、資源の無駄だけでなく、消費者にとって、コストが高くなるという問題がある。
【０００４】
電子機器の支持台として実開平６−８２４２７号公報には、携帯用電子機器、例えば、トランシーバー等の通信機器、テレビ等を車内の所定位置に固定する支持台として、捩子軸が固定された可撓平板、捩子軸を挿通する孔を持つカバー部材、捩子軸と螺合するナット部とボール支持部を持つユニバーサルジョイントベース金具、ボール支持部に対して回転自在に保持するための固定用捩子およびユニバーサルジョイントホルダ金具により支持されるホルダー部により構成された支持台が記載されている。
【０００５】
しかし、かかる提案によれば、車内での特定の電子機器の支持台としては有用であるとしても、形状等の異なる多種の電子機器に対しては適用できないという問題がある。
【特許文献１】実開平６−８２４２７号公報
【発明の概要】
【発明が解決しようとする課題】
【０００６】
従って、本発明の課題は、形状、規格、品番等の異なる多種の電子製品（以下、電子製品用部品、電子半製品を含め「電子機器」という。）であっても単一体で、支持可能な電子機器ホルダーを提供することにある。
【課題を解決するための手段】
【０００７】
そこで、本発明者は、前記の本発明の課題を解決するため、鋭意検討を重ねた結果、基体に、各種ブロックを組み合せることにより、組立て構造を変化させることにより、多種の電子機器であっても支持できる電子機器ホルダーを提供できることに着目し、かかる知見に基いて本発明に想到した。
【０００８】
すなわち、形態可変型電子機器ホルダーであって、基体と支持ブロック、連結ブロック及び拡充ブロックから組立てられてなり、前記基体は、Ｌ字型で、長手方向の一側において、内側に、支持ブロックと連結ブロック及び拡充ブロックのレールが摺動可能に嵌入されるための摺動溝が設けられ、電子機器が、基体と支持ブロック又は拡充ブロックの中央ギャップにセットされ、基体の短手方向の一側で、電子機器を挟持することができ、市販の電子機器すべてがセットされることが可能で、規格やサイズが異なることにより、セットできない問題が解消され、また、上記支持ブロックと連結ブロックにも、同じように、摺動溝が設置され、拡充ブロックにあわせて、各種の形態に変換でき、そして、支持ブロックの一側に、さらに、もう一つのレールが延び、基体の摺動溝に合わせて、支持ブロックを直立させて適當な高さに調整でき、ユーザーが、各種類の電子機器を直立させて支持することができる。かかる形態可変構造により、閲覧が便利になり、また、収納に有利であり、実用性が向上するという効果を奏する。
【０００９】
なお、本発明において、「形態可変型」電子機器ホルダーとは、基体に、支持ブロック、連結ブロック及び拡充ブロックを任意に組み合わせて、形状、構造等の形態の変化可能な組立て式電子機器を意味する。
【００１０】
かくして、請求項１の発明によれば、基体と、該基体に組み立てられる支持ブロックと、連結ブロックと、拡充ブロックとからなる電子機器ホルダーであって、
前記基体が、Ｌ字型可撓性ブロックであると共に、滑り止めの材質からなり、長手方向において、内側に、摺動溝が設けられ、該摺動溝の近傍に、さらに、前記摺動溝に交叉する他の摺動溝が形成され、
前記支持ブロックが、可撓性ブロックであると共に、滑り止めの材質からなり、その一側に、レールが設けられ、隣り合う一側に、摺動溝が形成され、該摺動溝に対応する一側において、底部に、レールが設けられ、
前記連結ブロックが、可撓性ブロックであると共に、滑り止めの材質からなり、一側に、レールが設けられ、その隣り合う一側に、摺動溝が形成され、また、摺動溝に対応して、一側にレールが伸び、
前記拡充ブロックが、可撓性ブロックであると共に、滑り止めの材質からなり、隣り合う両側に、レールが設けられ、
基体支持ブロック、連結ブロック及び拡充ブロックを組み立てることにより、支持ブロックと連結ブロック及び拡充ブロックのレールが、基体の摺動溝を任意に摺動することにより、基体と支持ブロック、連結ブロックと拡充ブロックのギャップが調整され、対象物品を挟持する傾斜角度を制御することができ、また、基体の摺動溝と支持ブロック、連結ブロックと拡充ブロックのレールとが結合することにより、多種類の組立てが変化し、各種規格の電子機器に応じて適用することができ、また、支持ブロックを直立させて支持ブロックのレールを、基体の摺動溝に係合することにより、連結ブロックの摺動溝も、同様に、支持ブロックと拡充ブロックのレールに、摺動可能に連結される、
ことを特徴とする形態可変型電子機器ホルダーが提供される。
【００１１】
請求項２の発明によれば、前記基体が、それぞれ、支持ブロック、連結ブロック及び拡充ブロックに連接されて使用することができることを特徴とする請求項１に記載の形態可変型電子機器ホルダーが提供される。
【００１２】
請求項３の発明によれば、前記連結ブロックが、一つ以上であることを特徴とする請求項１に記載の形態可変型電子機器ホルダーが提供される。
【００１３】
請求項４の発明によれば、前記支持ブロック、連結ブロック及び拡充ブロックのレールが、基体の摺動溝との間に、間隙が形成されることを特徴とする請求項１に記載の形態可変型電子機器ホルダーが提供される。
【００１４】
請求項５の発明によれば、前記支持ブロックと連結ブロック及拡充ブロックのレールに、間隙が形成されることを特徴とする請求項１に記載の形態可変型電子機器ホルダーが提供される。
【００１５】
請求項６の発明によれば、前記基体の摺動溝の隣り合う面に、突出部及びリブが設けられることを特徴とする請求項１に記載の形態可変型電子機器ホルダーが提供される。
【００１６】
請求項７の発明によれば、前記基体、支持ブロック及び連結ブロックの摺動溝が、奥広外狭又は内狭外広に形成され、支持ブロック、連結ブロック及び拡充ブロックが、それに対応して、内狭外広又は奥広外狭に形成されることを特徴とする請求項１に記載の形態可変型電子機器ホルダーが提供される。
【発明の効果】
【００１７】
本発明は、前記の通りの構成からなり、一つのホルダーにより、多種の形状および規格、品番の異なる電子機器であっても、簡便な操作により、支持ブロック、連結ブロック及び拡充ブロックを任意に組み合わせ、組立てを変化させることにより、支持することができ、形態可変型の電子機器ホルダーを提供することができる。
【発明を実施するための最良の形態】
【００１８】
以下、図面を参照しながら、本発明の特徴や技術内容について、詳しく説明するが、それらの図面等は、参考や説明のためのものであり、本発明は、それらによって限定されるものではない。
【００１９】
図１に示すように、本発明に係る電子機器ホルダーは、基体２０と支持ブロック２１、連結ブロック２２及び拡充ブロック２３から組み立てられるものである。上記基体２０や支持ブロック２１、連結ブロック２２及び拡充ブロック２３は、ともに、可撓性のブロックで、滑り止めの効果が得られ、また、上記基体２０は、Ｌ字型で、長手方向において、内側に、摺動溝２０１が設けられる。また、摺動溝２０１の近い一側に、さらに、摺動溝２０１に交叉（好ましくは、垂直に）する他の摺動溝２０２が形成される。
【００２０】
上記支持ブロック２１は、一側に、レール２１０が設けられ、隣り合う一側に、摺動溝２１１が形成され、摺動溝２１１に対応する一側において、底部に、レール２１２が設けられ、
連結ブロック２２は、一側に、レール２２０が設けられ、その隣り合う一側に、摺動溝２２２が形成され、摺動溝２２２に対応する一側に、レール２２１が伸び、拡充ブロック２３においては、隣り合う両側に、レール２３０、２３１が設けられる。
【００２１】
基体２０と支持ブロック２１、連結ブロック２２及び拡充ブロック２３の組立て方式は、図１のように、まず、支持ブロック２１の摺動溝２１１に、連結ブロック２２のレール２２１を嵌入し、支持ブロック２１と連結ブロック２２が、結合される。また、支持ブロック２１のレール２１０と連結ブロック２２のレール２２０が、平行になり、また、連結ブロック２２の摺動溝２２１に、拡充ブロック２３のレール２３１を含有し、レール２１０、２２０、２３０が、平行になり、それから、拡充ブロック２３と連結ブロック２２及び支持ブロック２１のレール２３０、２２０、２１０を、基体２０の摺動溝２０１に嵌入することにより、基体２０と支持ブロック２１、連結ブロック２２及び拡充ブロック２３が、長方形ブロックに結合される。これにより、図２に示すように、ホルダー２が組立てられる。
【００２２】
ホルダー２は、支持ブロック２１や連結ブロック２２或いは拡充ブロック２３を、基体２０において、摺動することができるから、便利に、携行や収納ができる。そして、上記連結ブロック２２の一側に、レール２２１があって、そして、対応する一側に、摺動溝２２２が形成される。そのため、ユーザーのニーズに応じて、複数の連結ブロック２２を接続することができ、ホルダー２の重心が、より安定的になる。
【００２３】
レール２１０、２２０、２３０は、長さが、支持ブロック２１と連結ブロック２２及び拡充ブロック２３より、やや短くなり、レール２１０、２２０、２３０を、基体２０に嵌入する時、図３のように間隙が形成される。支持ブロック２１と連結ブロック２２及び拡充ブロック２３は、摺動する時、余裕があって、スムーズに変位できる。また、支持ブロック２１と連結ブロック２２及び拡充ブロック２３が緊密すぎるため隙間がなくなることを防止するため、簡単に変位させることができる。また、連結ブロック２２と拡充ブロック２３の一側にあるレール２２１、２３１に、間隙が形成され、レール２２１、２３１が、摺動溝２１１、２２２に結合する時、同じように、間隙が形成される。これにより、支持ブロック２１と連結ブロック２２及び拡充ブロック２３の組立てや取り外しが、よりスムーズかつ容易に行われる。
【００２４】
図４は、本発明に係る電子機器ホルダーの摺動レールの概念図である。本発明によれば、上記支持ブロック２１と連結ブロック２２及び拡充ブロック２３は、レール２１０、２２０、２３０により（図１も参照しながら）、基体２０の摺動溝２０１内で、任意に摺動できる。また、拡充ブロック２３と基体２０の短手方向の一側に、ギャップ３が形成され、電子製品４（例えば、携帯電話やタブレットパソコン、ＭＰ３〜５、ｉＰａｄ、デジタルフォトフレーム、電子スクリーン等）を、図５に示すように、斜めに、ギャップ３にセットすることができる。さらに、電子製品４は、基体２０の係止により、電子製品４が、基体２０の短手方向の一側に挟まれ、そして、電子製品４が、所定の角度に傾斜でき、ユーザーが、便利に閲覧でき、それだけでなく、拡充ブロック２３と連結ブロック２２及び支持ブロック２１を摺動させることにより、電子製品４の傾斜角度を調整でき、ユーザーの好みに応じて、摺動的に調整でき、特に、基体２０や拡充ブロック２３、連結ブロック２２及び支持ブロック２１は、ともに、滑り止め機能を有するため、電子製品４を、より安定的にセットすることができるので、使用安全性が向上する。
【００２５】
図６は、本発明に係る電子機器ホルダーの実施形態を示す概念図である。支持ブロック２１は、電子製品４がやや長い場合、より高い支持ブロック２１を利用して、電子製品４の傾斜角度を調整増加させる。この場合、支持ブロック２１を直立させ、支持ブロック２１のレール２１２と基体２０の摺動溝２０１とが、対応して摺動することにより、同じように、基体２０と支持ブロック２１との間に、ギャップ３が発生し、電子製品４が、斜めに、ギャップ３にセットされる。また、電子製品４の先端底部が、基体２０の短手方向の一側に係止し、この時、電子製品４により、裏側及び下方への力が発生し、底端において、前（上）への力が発生して、ホルダー２に当接して、不安定になる可能性がある。この場合、電子製品４の裏端が、支持ブロック２１と連結ブロック２２によって支持されるため、また、連結ブロック２２が、レール２２０で、基体２０の摺動溝２０２に嵌設されるため（図に未表示）、基体２０の重心が高くなり、使用上、より安定的になる。
【００２６】
拡充ブロック２３を、支持ブロック２１に合わせて使用する時、図７のように、まず、連結ブロック２２のレール２２１を、支持ブロック２１の摺動溝２１１に嵌入させてから、図１に示すように、拡充ブロック２３のレール２３１、連結ブロック２２の摺動溝２２２に嵌入させる。これにより、レール２１０、２２０、２３０が、平行になり、さらに、支持ブロック２１の一側にあるレール２１２を、基体２０の摺動溝２０１に嵌入させ、同じように、レール２１２を摺動してギャップ３を調整し、電子製品４の傾斜角度が調整される。    
【００２７】
また、幅広い電子製品４が、斜めに、基体２０の短手方向の一側に挟持され、ホルダー２は、電子製品４の外型や規格に応じて、適当なセット姿勢を調整でき、ユーザーは、一つだけのホルダー２で、さまざまの規格や品番の電子製品４をセットすることができ、実用上、便利であることだけでなく、コストの節約も実現し、また、より優れた環境保護にもなる。
【００２８】
異なる規格や重量の電子製品に応じて、上記支持ブロック２１と連結ブロック２２及び拡充ブロック２３を可変的に組立てることにより、図８のように、上記支持ブロック２１の側辺にあるレール２１２を、基体２０の摺動溝２０１に嵌入させ、支持ブロック２１が直立させ、さらに、連結ブロック２２のレール２２０を、支持ブロック２１の摺動溝２１１に嵌入させ、さらに、拡充ブロック２３のレール２３０を、連結ブロック２２の摺動溝２２１に嵌入させ、基体２０の重心が、後方へ偏移する。これにより、より重い電子製品４でも、安定的に、ギャップ３にセットすることができる。
【００２９】
図９のように、上記ホルダー２により、まず、電子製品４が挟持され、そして、電子製品４の底部を、斜めに、机の上や平坦面にセットすることができる。ホルダー２の底部にある支持ブロック２１と電子製品４の底部が、交差して互いに係止することにより、電子製品４が、安定的に直立できる。また、上記ホルダー２は、電子製品の規格に応じて、様々な支持姿勢に組み立てられるので、消費者にとって、使用による実用性が向上し、より便利になる。
【００３０】
電子機器を、より安定的に支持できるようにするため、上記基体２０の設計は、図１０および図１１に示すように、基体２０の摺動溝の隣り合う面に、複数の突出部２０４やリブ２０５が設けられ、これにより、基体２０の内側に、より良い摩擦力が得られる。また、図２に示すように、基体２０の短手方向に、槽孔２０６が形成され、それに、直接に、摩擦力の比較的良い滑り止めブロック２０７が嵌入され、対象物品が挟まれると、対象物品の摺動や弛みが防止され、さらに、より安定的に対象物品を挟むことができる。また、本発明に係るホルダーは、磁化や磁石を実装することにより、磁力で、金属の表面や机面に緊密に張り付けることができ、そのため、より安定的になり、かつ利便性よく収納することができる。
【００３１】
摺動溝（２０１、２０２、２１１、２２２）とレール（２１０、２１２、２２０、２２１、２３０、２３１）との結合は、図１に示すように、二つの方式がある。例えば、図１３のように、摺動溝５０１の溝口５０１１を、奥広外狭に形成し、また、レール５１０に対応する溝口５０１１を、それに対応する造形である内狭外広に形成する。また、上記溝口５０１１のサイズが、レール５１０のサイズよりもやや大きくなり、レール５１０を、摺動溝５０１から取り出す時、レール５１０を、摺動溝５０１の一側方向へ、わずかな力で印加するだけで、溝口５０１１の設計によるレール５１０に形成された隙間を利用して、簡単に、レール５１０を、摺動溝５０１から取り出すことができる。
【００３２】
もう一つの方式は、図１４に示すように、上記摺動溝６０１の溝口６０１１も、内狭外広に設計され、また、レール６１０も、その溝口６０１１に対応する造型である奥広外狭に設計されているので、レール６１０を摺動溝６０１から取り出す時、同じように、レール６１０に力を印加するだけで、また、レール６１０が、溝口６０１１の設計による摺動溝６０１との間に隙間が形成されるので、簡単に、レール６１０を、摺動溝６０１から取り出すことができる。
【００３３】
以上のように、本発明に係る電子機器ホルダーは、基体と支持ブロック、連結ブロック及び拡充ブロックを、組立てることにより、また、摺動溝やレールを利用して、任意に、基体や拡充ブロック、連結ブロック及び支持ブロックのギャップと高さを調整することができ、電子製品を挟持することができ、また、任意の規格の電子機器でも適用することができる。
【００３４】
以上は、本発明のより良い実施例であり、本発明は、それらによって制限されるものではなく、本発明に係わる特許請求の範囲や明細書の内容に基づいて行った等価の変更や修正は、全てが、本発明の範囲内に含まれる。
【図面の簡単な説明】
【００３５】
【図１】本発明の一実施形態による電子機器ホルダーの分解斜視図である。
【図２】本発明の一実施形態による電子機器ホルダーの組立て斜視図である。
【図３】本発明の一実施形態による電子機器ホルダーのレールの間に間隙がある状態を示す概念図である。
【図４】本発明の一実施形態による電子機器ホルダーの摺動レールの概念図である。
【図５】本発明の一実施形態による電子機器ホルダーの使用概念図である。
【図６】本発明の一実施形態による電子機器ホルダーの使用例を示す説明図である。
【図７】本発明の一実施形態による電子機器ホルダーの使用例を示す説明図である。
【図８】本発明の一実施形態による電子機器ホルダーの更に他の使用例を示す説明図である。
【図９】本発明の一実施形態による電子機器ホルダーを斜めに使用する状態を示す説明図である。
【図１０】本発明の一実施形態による電子機器ホルダーの基体の他の実施例を示す説明図である。
【図１１】本発明の一実施形態による電子機器ホルダーの基体の更に他の実施例図である。
【図１２】本発明の一実施形態による電子機器の基体の更に他の実施例を示す説明図である。
【図１３】本発明の一実施形態による電子機器ホルダーのレールと摺動溝とを結合する状態を示す他の実施例の説明図である。
【図１４】本発明の一実施形態による電子機器ホルダーのレールと摺動溝とを結合する状態を示す他の実施例の説明図
【符号の説明】
【００３６】
２  ホルダー
２０  基体
２０１、２０２、２１１、２２２、５０１、６０１  摺動溝
２０４  突出部
２０５  リブ
２０６  槽孔
２０７  滑り止めブロック
２１  支持ブロック
２１０、２１２、２２０、２２１、２３０、２３１、５１０、６１０  レール
２２  連結ブロック
２３  拡充ブロック
３  ギャップ
４  電子製品
５０１１、６０１１  溝口
【図１】
0005396640.tif 000002
【図２】
0005396640.tif 000003
【図３】
0005396640.tif 000004
【図４】
0005396640.tif 000005
【図５】
0005396640.tif 000006
【図６】
0005396640.tif 000007
【図７】
0005396640.tif 000008
【図８】
0005396640.tif 000009
【図９】
0005396640.tif 000010
【図１０】
0005396640.tif 000011
【図１１】
0005396640.tif 000012
【図１２】
0005396640.tif 000013
【図１３】
0005396640.tif 000014
【図１４】
0005396640.tif 000015